(57)【特許請求の範囲】
【請求項１】
表示部と、
ネットワークを通じて接続された複数の画像形成装置が登録された記憶部と、
前記複数の画像形成装置のうち設定内容の変更対象として選択された全ての１以上の画像形成装置に対して特定の設定項目に対する設定内容を供給させるための要求としての設定内容供給要求を送信し、前記特定の設定項目に対する設定内容を全ての前記１以上の画像形成装置から受信し、受信した前記設定内容と、前記特定の設定項目と、送信元の前記１以上の画像形成装置とを互いに関連付けて、前記記憶部の設定内容データベースに格納する設定内容取得部と、
前記設定内容取得部から前記特定の設定項目の通知を受けると、前記設定内容データベースから、全ての前記１以上の画像形成装置について、通知された前記特定の設定項目に関連付けられた前記設定内容を読み出し、各前記画像形成装置に関連付けられた前記設定内容同士を比較し、前記特定の設定項目に対して共通の前記設定内容をもつ１以上の画像形成装置をそれぞれ含む複数のグループを生成するグループ生成部と、
前記グループ生成部が生成した前記複数のグループのうち１つのグループを選択し、前記選択したグループに含まれる１以上の画像形成装置に共通に設定された、前記特定の設定項目に対する第１の設定内容を前記表示部に表示し、前記特定の設定項目に対する前記第１の設定内容と異なる１以上の設定内容を前記表示部にさらに表示するグループ選択部と、
前記表示した１以上の設定内容から前記第１の設定内容と異なる第２の設定内容を選択し、前記選択したグループに属する全ての前記１以上の画像形成装置に対して、前記特定の設定項目に対して、前記第１の設定内容から前記第２の設定内容へ設定するよう要求する設定内容変更要求を送信する設定内容変更要求部
とを具備することを特徴とするサーバ装置。
【請求項２】
複数の画像形成装置と、前記複数の画像形成装置とネットワークを通じて接続されたサーバ装置とを具備する情報処理システムであって、
前記サーバ装置は、
表示部と、
前記ネットワークを通じて接続された前記複数の画像形成装置が登録された記憶部と、
前記複数の画像形成装置のうち設定内容の変更対象として選択された全ての前記１以上の画像形成装置に対して特定の設定項目に対する設定内容を供給させるための要求としての設定内容供給要求を送信し、前記特定の設定項目に対する設定内容を全ての前記１以上の画像形成装置から受信し、受信した前記設定内容と、前記特定の設定項目と、送信元の前記１以上の画像形成装置とを互いに関連付けて、前記記憶部の設定内容データベースに格納する設定内容取得部と、
前記設定内容取得部から前記特定の設定項目の通知を受けると、前記設定内容データベースから、全ての前記１以上の画像形成装置について、通知された前記特定の設定項目に関連付けられた前記設定内容を読み出し、各前記画像形成装置に関連付けられた前記設定内容同士を比較し、前記特定の設定項目に対して共通の前記設定内容をもつ１以上の画像形成装置をそれぞれ含む複数のグループを生成するグループ生成部と、
前記グループ生成部が生成した前記複数のグループのうち１つのグループを選択し、前記選択したグループに含まれる１以上の画像形成装置に共通に設定された、前記特定の設定項目に対する第１の設定内容を前記表示部に表示し、前記特定の設定項目に対する前記第１の設定内容と異なる１以上の設定内容を前記表示部にさらに表示するグループ選択部と、
前記表示した１以上の設定内容から前記第１の設定内容と異なる第２の設定内容を選択し、前記選択したグループに属する全ての前記１以上の画像形成装置に対して、前記特定の設定項目に対して、前記第１の設定内容から前記第２の設定内容へ設定するよう要求する設定内容変更要求を送信する設定内容変更要求部
とを有し、
各々の前記複数の画像形成装置は、
前記サーバ装置から受信した前記設定内容供給要求により指定された前記特定の設定項目に対して現時点で設定されている設定内容である前記第１の設定内容を、前記サーバ装置に送信する設定内容供給部と、
前記サーバ装置から受信した前記設定内容変更要求に基づいて、前記第１の設定内容から前記第２の設定内容へ設定する設定内容変更部
とを有する
ことを特徴とする情報処理システム。
【請求項３】
各々の前記複数の画像形成装置の前記設定内容変更部は、さらに、前記第１の設定内容から前記第２の設定内容への変更結果を、前記サーバ装置に送信し、
前記サーバ装置の前記設定内容変更要求部は、さらに、前記第１の設定内容から前記第２の設定内容への前記変更結果を、全ての前記１以上の画像形成装置から受信すると、前記変更結果を前記表示部に表示する
ことを特徴とする請求項２に記載の情報処理システム。
【発明の詳細な説明】
【技術分野】
【０００１】
本技術は、複数の画像形成装置の設定内容を変更することが可能なサーバ装置に関する。本技術は、さらに、上記サーバ装置及び上記複数の画像形成装置を含む情報処理システムに関する。
【背景技術】
【０００２】
近年、オフィスにおいては、プリンタや複合機は幅広く使われている。これら画像形成装置は、サポートする機能が充実しており、高機能化している。このため、画像形成装置に対して様々な内容を設定できる。しかし、その設定項目はモデルごとに異なる場合があり、ユーザはモデルごとに設定項目を理解しておく必要がある。
【０００３】
管理者とそれ以外のユーザに対するデバイスの設定値の保存方法を効率化する方法が知られている（特許文献１参照）。画像形成装置は、管理者データと、ユーザデータとを記憶する。ユーザデータは、管理者データの差分のデータである（同請求項１）。管理者の設定値を、他のユーザの設定値に適用できる。
【先行技術文献】
【特許文献】
【０００４】
【特許文献１】特開２００９−２２６６２３号公報
【発明の概要】
【発明が解決しようとする課題】
【０００５】
特許文献１によれば、ユーザ設定データの設定値が管理者設定データの設定値と異なるときに、当該異なるユーザ設定データの設定値のうち複数のユーザ設定データ間で同じ値のものが予め決めた数以上となったとき、管理者設定データとユーザ設定データを変更する（同請求項７）。その結果、ユーザが意図した設定値に変更されないおそれがある。
【０００６】
以上のような事情に鑑み、本技術の目的は、画像形成装置の設定内容をより効率的に所望の設定内容に変更することにある。
【課題を解決するための手段】
【０００７】
上記目的を達成するため、本技術の一形態に係るサーバ装置は、複数の画像形成装置の設定内容を取得するよう構成された設定内容取得部と、共通の第１の設定内容をもつ１以上の画像形成装置を含むグループを生成するよう構成されたグループ生成部と、前記グループに属する全ての前記画像形成装置に対して、前記第１の設定内容と異なる第２の設定内容を設定するよう要求するよう構成された設定内容変更要求部とを具備する。
【０００８】
これにより、設定内容変更要求部は、１つのグループに含まれる全ての画像形成装置に対して、第２の設定内容を設定するよう、一度で要求することができる。これにより、画像形成装置一台一台の設定内容を調べて変更する必要がないので、時間と手間がかからない。
【０００９】
前記グループ生成部は複数のグループを生成するよう構成され、前記複数のグループに属する１以上の画像形成装置の設定内容は前記グループ毎に異なり、前記複数のグループのうちいずれか１つを選択するよう構成されたグループ選択部をさらに具備し、前記設定内容変更要求部は、前記選択されたグループに属する全ての前記画像形成装置に対して、前記第２の設定内容を設定するよう要求してもよい。
【００１０】
これにより、グループ選択部は、第２の設定内容を設定する対象としての全ての画像形成装置を、１つのグループとして、一括的に選択することができる。これにより、目標とする全ての画像形成装置を、第２の設定内容を設定する対象として選択することができ、漏れがなく確実である。
【００１１】
上記目的を達成するため、本技術の一形態に係る情報処理システムは、複数の画像形成装置と、サーバ装置とを具備する。前記複数の画像形成装置は、それぞれ、設定内容を記憶するよう構成された記憶部を有する。前記サーバ装置は、前記複数の画像形成装置の設定内容を取得するよう構成された設定内容取得部と、共通の第１の設定内容をもつ１以上の画像形成装置を含むグループを生成するよう構成されたグループ生成部と、前記グループに属する全ての前記画像形成装置に対して、前記第１の設定内容と異なる第２の設定内容を設定するよう要求するよう構成された設定内容変更要求部とを有する。
【発明の効果】
【００１２】
本技術によれば、画像形成装置の設定内容をより効率的に所望の設定内容に変更できる。
なお、ここに記載された効果は必ずしも限定されるものではなく、本開示中に記載されたいずれかの効果であってもよい。
【図面の簡単な説明】
【００１３】
【図１】本技術の一実施形態に係る情報処理システムを示す図である。
【図２】サーバ装置のハードウェア構成を示すブロック図である。
【図３】画像形成装置のハードウェア構成を示すブロック図である。
【図４】サーバ装置及び画像形成装置の機能的構成を示すブロック図である。
【図５】情報処理システムの動作を示すシーケンス図である。
【図６】サーバ装置の動作を示すフローチャートである。
【図７】画像形成装置の動作を示すフローチャートである。
【図８】表示部に表示されるＵＩ（User Interface）の一例である。
【図９】表示部に表示されるＵＩの一例である。
【発明を実施するための形態】
【００１４】
以下、図面を参照しながら、本発明の実施形態を説明する。
【００１５】
（１．情報処理システム）
図１は、本技術の一実施形態に係る情報処理システムを示す図である。
情報処理システム１は、サーバ装置１０と、複数の画像形成装置２０とを有する。
【００１６】
サーバ装置１０は、社内ＬＡＮ（Local Area Network）等のネットワークＮを通じて、画像形成装置２０と双方向に通信して情報を授受する。サーバ装置１０は、画像形成装置２０の管理者により使用される。「管理者」は、典型的には、画像形成装置２０の保守管理業務を行う社内担当者である。
【００１７】
画像形成装置２０は、典型的にはＭＦＰ（multifunction peripheral）である。画像形成装置２０は、エンドユーザ（以下単に「ユーザ」と称することがある。）である社員により使用される。
【００１８】
情報処理システム１の典型的な使用状況としては、以下が想定される。
複数の画像形成装置２０は、１つのオフィスに設置される。オフィスでは、様々なユーザ（社員）が様々な目的で、画像形成装置２０それぞれの設定項目に対する設定内容を変更する。例えば、「設定項目」＝「色彩」に対して、初期値として「設定内容」＝「白黒」が設定されている。ところが、あるユーザはある画像形成装置２０の「設定項目」＝「色彩」に対する設定を「設定内容」＝「マルチカラー」に変更し、別のユーザは別の画像形成装置２０の「設定項目」＝「色彩」に対する設定を「設定内容」＝「カラー単色」に変更することがある。そうすると、オフィス内の複数の画像形成装置２０のなかで「設定項目」＝「色彩」に対して「設定内容」＝「白黒」、「マルチカラー」及び「カラー単色」が混在している状況になる。しかし「設定内容」＝「カラー単色」は使用頻度が比較的低い。このため、「設定内容」＝「カラー単色」が設定されたすべての画像形成装置２０の「設定内容」を、使用頻度の高い「白黒」などに戻しておくことが望ましい。
【００１９】
しかしながら、ユーザにとっては、どの画像形成装置２０に「設定項目」＝「色彩」として「設定内容」＝「カラー単色」が設定されているかどうかは、画像形成装置２０自体のタッチパネルをマニュアルで操作及び参照しなければ、通常は判らない。画像形成装置２０一台一台について「設定項目」＝「色彩」に対する設定内容を調べ、必要な場合に設定内容を変更するのは、時間と手間が掛かる上、ユーザの行動に依存するため、目標とする全ての画像形成装置２０を網羅できるとは限らない。
【００２０】
以上のような事情に鑑み、本実施形態の情報処理システム１によれば、サーバ装置１０が、所定の設定項目に関して、複数の画像形成装置２０の設定内容を比較し、同じ設定内容が設定された一部の画像形成装置２０に対して、新たな設定内容（現時点の設定内容と異なる設定内容）を一括的に設定するための処理を行う。
【００２１】
（２．サーバ装置のハードウェア構成）
図２は、サーバ装置のハードウェア構成を示すブロック図である。
サーバ装置１０は、制御部１１と、制御部１１とバス１７を介して接続された表示部１２、通信制御部１３（第１の通信制御部）、操作部１５及び記憶部１６とを有する。
【００２２】
制御部１１は、ＣＰＵ（Central Processing Unit）等を含む。制御部１１は、ＲＡＭ（Random Access Memory）にロードされたプログラムを実行する。
【００２３】
記憶部１６は、ＲＯＭ（Read Only Memory）と、ＲＡＭと、ＨＤＤ（Hard Disk Drive）などの大容量の記憶装置とを含む。ＲＯＭは、制御部１１が実行するプログラムやデータなどを固定的に格納する。ＲＡＭには、ＲＯＭに格納されたプログラムがロードされる。大容量の記憶装置は、データベースが格納される。
【００２４】
表示部１２は、ＬＣＤ（Liquid Crystal Display）や有機ＥＬ（Electroluminescence）ディスプレイ等を含む。表示部１２は、制御部１１から受け取った情報に基づいて演算処理を行い、生成した画像信号を画面に表示する。典型的には、表示部１２は外付けの表示装置である。
【００２５】
操作部１５は、キーボード、マウス及び各種スイッチ等を含む。操作部１５は、ユーザからの操作を検出して制御部１１に出力する。
【００２６】
通信制御部１３は、ネットワークＮに接続するためのインタフェースである。
【００２７】
（３．画像形成装置のハードウェア構成）
図３は、画像形成装置のハードウェア構成を示すブロック図である。
画像形成装置２０は、制御部２１を備える。制御部２１は、ＣＰＵ、ＲＡＭ、ＲＯＭ及び専用のハードウェア回路等から構成され、画像形成装置２０の全体的な動作制御を司る。
【００２８】
制御部２１は、画像読取部２２、画像形成部２４、画像メモリ２５、画像形成部２６、操作部２７、通信制御部２９、記憶部２８等と接続されている。制御部２１は、接続されている上記各部の動作制御や、各部との間での信号又はデータの送受信を行う。
【００２９】
制御部２１は、ユーザから、操作部２７またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００３０】
画像読取部２２は、原稿から画像を読み取る。
【００３１】
画像形成部２４は、画像読取部２２で読み取られた画像の画像データを必要に応じて画像形成する。例えば、画像形成部２４は、画像読取部２２により読み取られた画像が画像形成された後の品質を向上させるために、シェーディング補正等の画像形成を行う。
【００３２】
画像メモリ２５は、画像読取部２２による読み取りで得られた原稿画像のデータを一時的に記憶したり、画像形成部２６での印刷対象となるデータを一時的に記憶したりする領域である。
【００３３】
画像形成部２６は、画像読取部２２で読み取られた画像データ等の画像形成を行う。
【００３４】
操作部２７は、画像形成装置２０が実行可能な各種動作及び処理についてユーザからの指示を受け付けるタッチパネル部および操作キー部を備える。タッチパネル部は、タッチパネルが設けられたＬＣＤ（Liquid Crystal Display）等の表示部２７ａを備えている。
【００３５】
通信制御部２９は、ネットワークＮに接続するためのインタフェースである。
【００３６】
記憶部２８は、画像読取部２２によって読み取られた原稿画像等を記憶する、ＨＤＤなどの大容量の記憶装置である。
【００３７】
（４．サーバ装置の機能的構成）
図４は、サーバ装置及び画像形成装置の機能的構成を示すブロック図である。
サーバ装置１０は、画像形成装置選択部１０１と、設定内容取得部１０２と、グループ生成部１０３と、グループ選択部１０４と、設定内容変更要求部１０５とを有する。
【００３８】
画像形成装置選択部１０１は、操作部１５に対する管理者からの所定の操作を、画像形成装置選択要求として検出する。画像形成装置選択部１０１は、記憶部１６に格納された画像形成装置リスト１６１を読み出す。画像形成装置リスト１６１には、サーバ装置１０にネットワークＮを通じて接続された複数の画像形成装置２０が登録されている。画像形成装置選択部１０１は、画像装置形成装置選択要求に含まれる１以上の画像形成装置２０を選択する。画像形成装置選択部１０１は、選択した１以上の画像形成装置２０を、表示部１２に表示する。
【００３９】
設定内容取得部１０２は、操作部１５に対する管理者からの所定の操作を、設定内容取得要求として検出する。設定内容取得部１０２は、選択した全ての画像形成装置２０に対して、設定内容供給要求を送信する。設定内容取得部１０２は、設定内容を画像形成装置２０から受信する。設定内容取得部１０２は、受信した設定内容と、この設定内容が設定された設定項目と、送信元の画像形成装置２０とを互いに関連付けて、記憶部１６の設定内容データベース１６２に格納する。設定内容取得部１０２は、全ての画像形成装置２０の設定内容を設定内容データベース１６２に格納すると、この設定内容が設定された設定項目をグループ生成部１０３に通知する。
【００４０】
グループ生成部１０３は、設定内容取得部１０２から設定項目の通知を受けると、記憶部１６の設定内容データベース１６２を検索する。グループ生成部１０３は、設定内容データベース１６２から、選択した全ての画像形成装置２０について、設定内容取得部１０２から通知された設定項目に関連付けられた設定内容を読み出す。グループ生成部１０３は、各画像形成装置２０に関連付けられた設定内容同士を比較し、この設定項目について共通の設定内容をもつ１以上の画像形成装置２０を抽出する。グループ生成部１０３は、この設定項目について共通の設定内容をもつ１以上の画像形成装置２０を含むグループを生成する。グループ生成部１０３は、生成した１以上のグループを表示部１２に表示する。
【００４１】
グループ選択部１０４は、操作部１５に対する管理者からの所定の操作を、グループ選択要求として検出する。グループ選択部１０４は、グループ選択要求に含まれるグループを選択する。グループ選択部１０４は、選択したグループに含まれる１以上の画像形成装置２０に共通に設定された設定内容を、表示部１２に表示する。さらに、グループ選択部１０４は、設定内容の他の選択肢（共通に設定された設定内容以外の１以上の設定内容）も、表示部１２に表示する。
【００４２】
設定内容変更要求部１０５は、操作部１５に対する管理者からの所定の操作を、設定内容選択要求として検出する。設定内容変更要求部１０５は、選択したグループに含まれる全ての画像形成装置２０に対して、設定内容選択要求に含まれる新たな設定内容（現時点の設定内容と異なる設定内容）を設定するための設定内容変更要求を送信する。設定内容変更要求部１０５は、設定内容の変更結果を個々の画像形成装置２０から受信すると、設定内容の変更結果（成功又は失敗）を表示部１２に表示する。
【００４３】
（５．画像形成装置の機能的構成）
画像形成装置２０は、設定内容供給部２０１と、設定内容変更部２０２とを有する。
【００４４】
設定内容供給部２０１は、設定内容供給要求をサーバ装置１０から受信すると、設定内容供給要求により指定された設定項目について現時点で設定されている設定内容を記憶部２８から読み出す。設定内容供給部２０１は、読み出した設定内容を、サーバ装置１０に送信する。
【００４５】
設定内容変更部２０２は、設定内容変更要求をサーバ装置１０から受信する。設定内容変更部２０２は、設定内容変更要求に含まれる設定項目に対し、設定内容変更要求に含まれる新たな設定内容を設定することで、記憶部２８に記憶された設定内容を変更する。設定内容変更部２０２は、設定内容の変更結果（成功又は失敗）を、サーバ装置１０に送信する。
【００４６】
（６．情報処理システムの動作）
図５は、情報処理システムの動作を示すシーケンス図である。図６は、サーバ装置の動作を示すフローチャートである。図７は、画像形成装置の動作を示すフローチャートである。
【００４７】
サーバ装置１０の画像形成装置選択部１０１は、操作部１５に対する管理者からの所定の操作を、画像形成装置選択要求として検出する（ステップＳ１０１）。「画像装置形成装置選択要求」は、サーバ装置１０にネットワークＮを通じて接続された複数の画像形成装置２０のうちから、設定変更を行う対象として、１以上の画像形成装置２０を選択するための要求である。画像形成装置選択部１０１は、画像形成装置選択要求を検出すると、記憶部１６に格納された画像形成装置リスト１６１を読み出す。画像形成装置リスト１６１には、サーバ装置１０にネットワークＮを通じて接続された複数の画像形成装置２０が登録されている。画像形成装置選択部１０１は、画像形成装置リスト１６１から、画像装置形成装置選択要求に含まれる１以上の画像形成装置２０を選択する（ステップＳ１０２）。画像形成装置選択部１０１は、選択した１以上の画像形成装置２０を、表示部１２に表示する（ステップＳ１０３）。
【００４８】
設定内容取得部１０２は、操作部１５に対する管理者からの所定の操作を、設定内容取得要求として検出する（ステップＳ１０４）。「設定内容取得要求」は、ユーザが設定変更の対象として意図する１つの「設定項目」について現時点で設定されている「設定内容」を取得するための要求である。
【００４９】
ここで「設定項目」及び「設定内容」について、具体例を挙げて説明する。
「設定項目」は、典型的には、「設定項目グループ」＞「設定項目リスト」＞「設定項目」の順に狭まるような階層構造で表現される。
「設定項目グループ」は、設定項目を表す最も広い階層であり、「print settings」や「network settings」等から選択される。本例では、「設定項目グループ」＝「print settings」が設定される。
「設定項目リスト」は、設定項目を表すその次に広い階層である。例えば、「設定項目リスト」は、「設定項目グループ」＝「print settings」に対して、「scan basic」、「output」及び「print quality」等から選択される。本例では、「設定項目リスト」＝「scan basic」が設定される。
「設定項目」は最も狭い階層である。例えば、「設定項目」は、「設定項目リスト」＝「scan basic」に対して、「zoom」、「scanner resolution」、「color selection」、「original image (copy)」、「auto image rotation (OCR)」及び「file format」等を含む。本例では、「設定項目」＝「zoom」が設定される。
「設定内容」は、「設定項目」について設定された具体的な内容であり、「設定項目」＝「zoom」に対して、「auto」及び「１００％」等から選択される。本例では、ある１以上の画像形成装置２０には「設定内容」＝「auto」が設定され、別の１以上の画像形成装置２０には「設定内容」＝「１００％」が設定される。
【００５０】
本例では、「設定内容取得要求」は、ユーザが設定変更の対象として意図する１つの「設定項目」＝「zoom」について現時点で設定されている「設定内容」を取得するための要求とする。
【００５１】
設定内容取得部１０２は、選択（ステップＳ１０２）した全ての（ステップＳ１０８）画像形成装置２０に対して、設定内容供給要求を送信する（ステップＳ１０５）。本例では、設定内容取得部１０２は、選択した全ての画像形成装置２０に対して、ユーザが設定変更の対象として意図する１つの「設定項目」＝「zoom」について現時点で設定されている設定内容を供給させるための要求を送信する。
【００５２】
画像形成装置２０の設定内容供給部２０１は、設定内容供給要求をサーバ装置１０から受信すると（ステップＳ２０１）、設定内容供給要求により指定された「設定項目」＝「zoom」について現時点で設定されている設定内容を記憶部２８から読み出す（ステップＳ２０２）。設定内容供給部２０１は、読み出した設定内容を、サーバ装置１０に送信する（ステップＳ２０３）。
【００５３】
例えば、ある画像形成装置２０の設定内容供給部２０１は、「設定項目」＝「zoom」に設定された「設定内容」＝「auto」を記憶部２８から読み出す（ステップＳ２０２）。設定内容供給部２０１は、読み出した「設定内容」＝「auto」を、サーバ装置１０に送信する（ステップＳ２０３）。別の画像形成装置２０の設定内容供給部２０１は、「設定項目」＝「zoom」に設定された「設定内容」＝「１００％」を記憶部２８から読み出す（ステップＳ２０２）。設定内容供給部２０１は、読み出した「設定内容」＝「１００％」を、サーバ装置１０に送信する（ステップＳ２０３）。
【００５４】
サーバ装置１０の設定内容取得部１０２は、設定内容を画像形成装置２０から受信する（ステップＳ１０６）。設定内容取得部１０２は、受信した設定内容と、この設定内容が設定された設定項目と、送信元の画像形成装置２０とを互いに関連付けて、記憶部１６の設定内容データベース１６２に格納する（ステップＳ１０７）。設定内容取得部１０２は、設定内容供給要求を送信（ステップＳ１０５）した全ての画像形成装置２０の設定内容を設定内容データベース１６２に格納すると、この設定内容が設定された設定項目（本例では、「設定項目」＝「zoom」）をグループ生成部１０３に通知する。
【００５５】
グループ生成部１０３は、設定内容取得部１０２から設定項目（本例では、「設定項目」＝「zoom」）の通知を受けると、記憶部１６の設定内容データベース１６２を検索する（ステップＳ１０９）。グループ生成部１０３は、設定内容データベース１６２から、選択（ステップＳ１０２）した全ての画像形成装置２０について、「設定項目」＝「zoom」に関連付けられた設定内容を読み出す（ステップＳ１１０）。グループ生成部１０３は、各画像形成装置２０に関連付けられた設定内容同士を比較し、「設定項目」＝「zoom」について共通の設定内容をもつ１以上の画像形成装置２０を抽出する。グループ生成部１０３は、「設定項目」＝「zoom」について共通の設定内容をもつ１以上の画像形成装置２０を含むグループを生成する（ステップＳ１１１）。グループ生成部１０３は、生成した１以上のグループを表示部１２に表示する（ステップＳ１１２）。
【００５６】
例えば、グループ生成部１０３は、「設定項目」＝「zoom」に対して、「設定内容」＝「auto」が設定された１以上の画像形成装置２０を含むグループと、「設定内容」＝「１００％」が設定された１以上の画像形成装置２０を含むグループとを生成する（ステップＳ１１１）。グループ生成部１０３は、「設定内容」＝「１００％」が設定された１以上の画像形成装置２０を含むグループと、「設定内容」＝「１００％」が設定された１以上の画像形成装置２０を含むグループとを表示部１２に表示する（ステップＳ１１２）。
【００５７】
グループ選択部１０４は、操作部１５に対する管理者からの所定の操作を、グループ選択要求として検出する（ステップＳ１１３）。「グループ選択要求」とは、表示部１２に表示された１以上のグループのうち、いずれか１つのグループ（設定内容を変更する対象としての画像形成装置２０全てを含むグループ）を選択するための要求である。グループ選択部１０４は、グループ選択要求に含まれるグループを選択する（ステップＳ１１４）。グループ選択部１０４は、選択したグループに含まれる１以上の画像形成装置２０に共通に設定された設定内容を、表示部１２に表示する（ステップＳ１１５）。さらに、グループ選択部１０４は、「設定内容」の他の選択肢（特定の設定項目に対して共通に設定された設定内容以外の１以上の設定内容）も、表示部１２に表示する。
【００５８】
例えば、グループ選択部１０４は、「設定項目」＝「zoom」に関して、「設定内容」＝「auto」が共通に設定された１以上の画像形成装置２０を含むグループを選択する（ステップＳ１１４）。グループ選択部１０４は、「設定内容」＝「auto」を表示部１２に表示する（ステップＳ１１５）。さらに、グループ選択部１０４は、「設定内容」の他の選択肢（「auto」以外の設定内容）も、表示部１２に表示する。
【００５９】
図８及び図９は、表示部に表示されるＵＩ（User Interface）の一例である。
具体的には、図８の設定画面３０Ａは、「設定項目」を特定する。図９の設定画面３０Ｂには、設定画面３０Ａで特定された「設定項目」に対する「設定内容」が表示される。
【００６０】
例えば、図８の設定画面３０Ａにおいて、最も広い階層の「設定項目グループ」３１として、「print settings」３１Ａがプルダウンにより選択される。
その次に広い階層の「設定項目リスト」３２として、「scan basic」３２Ａがハイライトにより選択される。
最も狭い階層の「設定項目」３３として、「zoom」３３Ａがチェックにより選択される。
【００６１】
図９の設定画面３０Ｂにおいて、「設定項目」３３＝「zoom」３３Ａに対する「設定内容」３４として、現在設定されている「auto」３４Ａがチェックにより選択される。
【００６２】
図５〜図７を再び参照し、設定内容変更要求部１０５は、操作部１５に対する管理者からの所定の操作を、設定内容選択要求として検出する（ステップＳ１１６）。「設定内容選択要求」とは、ユーザが設定変更の対象として意図する１つの「設定項目」＝「zoom」に対して、現時点で設定されている設定内容とは異なる新たな設定内容を選択するための要求である。
【００６３】
例えば、「設定内容選択要求」とは、設定画面３０Ｂ（図９）において、「設定項目」＝「zoom」３３Ａに対して「設定内容」＝「auto」３４Ａが現時点で設定されている状況において、新たな「設定内容」＝「１００％」３４Ｂを選択するための要求である。
【００６４】
設定内容変更要求部１０５は、選択（ステップＳ１１４）したグループに含まれる全ての画像形成装置２０に対して、設定内容選択要求に含まれる新たな設定内容を設定するための設定内容変更要求を送信する（ステップＳ１１７）。
【００６５】
個々の画像形成装置２０の設定内容変更部２０２は、設定内容変更要求をサーバ装置１０から受信する（ステップＳ２０４）。設定内容変更部２０２は、設定内容変更要求に含まれる設定項目に対し、設定内容変更要求に含まれる新たな設定内容を設定することで、記憶部２８に記憶された設定内容を変更する（書き換える）（ステップＳ２０５）。設定内容変更部２０２は、設定内容の変更結果（成功又は失敗）を、サーバ装置１０に送信する（ステップＳ２０６）。
【００６６】
サーバ装置１０の設定内容変更要求部１０５は、設定内容の変更結果を個々の画像形成装置２０から受信する（ステップＳ１１８）。設定内容変更要求部１０５は、設定内容変更要求を送信（ステップＳ１１７）した全ての画像形成装置２０の設定内容の変更結果（成功又は失敗）を、表示部１２に表示する（ステップＳ１１９）。
【００６７】
（７．まとめ）
本実施形態によれば、サーバ装置１０のグループ生成部１０３は、各画像形成装置２０に関連付けられた設定内容同士を比較し、所定の設定項目について共通の設定内容（第１の設定内容）をもつ１以上の画像形成装置２０を含むグループを生成する（ステップＳ１１１）。グループ選択部１０４は、設定内容を変更する対象としての画像形成装置２０の全てが含まれるグループを選択する（ステップＳ１１４）。設定内容変更要求部１０５は、グループに含まれる全ての画像形成装置２０に対して、設定内容選択要求に含まれる新たな設定内容（第２の設定内容）を設定するための設定内容変更要求を送信する（ステップＳ１１７）。
【００６８】
これにより、第１に、手作業で各画像形成装置一台一台の設定内容を調べ、必要な場合に設定内容を変更するのは、時間と手間が掛かる上、ユーザの行動に依存するため、目標とする全ての画像形成装置を網羅できるとは限らない。
これに対して、本実施形態によれば、管理者は、設定内容を変更する対象としての画像形成装置２０の全てを、１つのグループとして、一括的に漏れなく選択することができる（ステップＳ１１３）。これにより、管理者が画像形成装置一台一台の設定内容を調べて変更する必要がないので、目標とする全ての画像形成装置２０の設定内容が変更され、漏れがなく確実である上、時間も手間も掛からない。
【００６９】
第２に、画像形成装置の設定項目がモデルごとに異なる場合、従来は、ユーザはモデルごとに設定項目を理解しておく必要があった。
これに対して、本実施形態によれば、管理者は、１つのグループに含まれる全ての画像形成装置２０に対する新たな設定内容を、一度で選択することができる（ステップＳ１１６）。これにより、管理者は、モデルごとに設定項目を理解しておく必要がなくなる。また、管理者が新たな設定内容を選択する際、それぞれのモデル特有の設定画面を準備する必要がない。結果的に、管理者にとっては、画一化された単純な処理で、必要な全ての画像形成装置２０に対して、新たな設定内容を、一度で設定することができる。
【００７０】
第３に、特許文献１によれば、ユーザ設定データの設定値が管理者設定データの設定値と異なるときに、当該異なるユーザ設定データの設定値のうち複数のユーザ設定データ間で同じ値のものが予め決めた数以上となったとき、管理者設定データとユーザ設定データを変更する（同請求項７）。その結果、ユーザが意図した設定値に変更されないおそれがあった。
これに対して、本実施形態によれば、管理者は、画像形成装置を選択し（ステップＳ１０１）、選択（ステップＳ１１３）したグループに含まれる画像形成装置に対する新たな設定内容を選択する（ステップＳ１１６）。すなわち、管理者は、新たな設定内容と、新たな設定内容が設定される対象である画像形成装置を含むグループとの両者を必ず選択するため、ユーザが意図した設定値に変更されるおそれがない。
【００７１】
（８．変形例）
ステップＳ１１０で、グループ生成部１０３は、設定内容データベース１６２から、選択（ステップＳ１０２）した全ての画像形成装置２０に関連付けられた設定内容を読み出した。これに替えて、グループ生成部１０３は、選択（ステップＳ１０２）した全ての画像形成装置２０だけに限られず、設定内容データベース１６２に記憶されている全ての画像形成装置２０に関連付けられた設定内容を読み出してもよい。
【００７２】
サーバ装置１０にパーソナルコンピュータ（図示せず）が接続され、このパーソナルコンピュータが管理者により操作されてサーバ装置１０を制御してもよい。
【００７３】
設定内容データベース１６２は、サーバ装置１０に接続された外付けの大容量の記憶装置（図示せず）に格納されてもよい。
【００７４】
ネットワークＮは社内ＬＡＮであり、サーバ装置１０を使用する管理者は社内担当者であると説明した。これに替えて、ネットワークＮは、インターネット等の広域ネットワークでもよい。サーバ装置１０を使用する管理者は、ネットワークＮに接続された多数の画像形成装置２０の保守管理業務を行うサービスマンでもよい。
【００７５】
（９．その他）
本技術は以下のような構成もとることができる。
（１）複数の画像形成装置の設定内容を取得し、
共通の第１の設定内容をもつ１以上の画像形成装置を含むグループを生成し、
前記グループに属する全ての前記画像形成装置に対して、前記第１の設定内容と異なる第２の設定内容を設定するよう要求する
情報処理方法。
（２）複数の画像形成装置の設定内容を取得するよう構成された設定内容取得部と、
共通の第１の設定内容をもつ１以上の画像形成装置を含むグループを生成するよう構成されたグループ生成部と、
前記グループに属する全ての前記画像形成装置に対して、前記第１の設定内容と異なる第２の設定内容を設定するよう要求するよう構成された設定内容変更要求部
としてサーバ装置を機能させるプログラム。
（３）複数の画像形成装置の設定内容を取得するよう構成された設定内容取得部と、
共通の第１の設定内容をもつ１以上の画像形成装置を含むグループを生成するよう構成されたグループ生成部と、
前記グループに属する全ての前記画像形成装置に対して、前記第１の設定内容と異なる第２の設定内容を設定するよう要求するよう構成された設定内容変更要求部
としてサーバ装置を機能させるプログラム
を格納した非一過性の記録媒体（non-transitory computer readable medium）。
【符号の説明】
【００７６】
１０…サーバ装置
１１、２１…制御部
１６、２８…記憶部
２０…画像形成装置
１０１…画像形成装置選択部
１０２…設定内容取得部
１０３…グループ生成部
１０４…グループ選択部
１０５…設定内容変更要求部
１６１…画像形成装置リスト
１６２…設定内容データベース
２０１…設定内容供給部
２０２…設定内容変更部
【図１】
0006314907.tif 000002
【図２】
0006314907.tif 000003
【図３】
0006314907.tif 000004
【図４】
0006314907.tif 000005
【図５】
0006314907.tif 000006
【図６】
0006314907.tif 000007
【図７】
0006314907.tif 000008
【図８】
0006314907.tif 000009
【図９】
0006314907.tif 000010